(57)【要約】【課題】ドラフトされる繊維スライバの品質が異なる場合においても、高い均一性を有する繊維ウェブを生成することが可能なスライバガイドおよび練条機を提供すること。【解決手段】練条機（４）の入口部（３）において複数の繊維スライバ（２）を案内するためのスライバガイド（１）であって、第１グループの繊維スライバ（２）を案内するための第１ガイド部（５）と、第２グループの繊維スライバ（２）を案内するための第２ガイド部（６）とを有し、前記スライバガイド（１）の側面視において、前記第１ガイド部（５）と前記第２ガイド部（６）は互いに離間して配置されており、前記スライバガイド（１）はさらに、前記スライバガイド（１）の側面視において前記第１ガイド部（５）および前記第２ガイド部（６）から離間して配置された第３ガイド部（７）を有し、前記第１〜第３ガイド部（５、６、７）の少なくとも１つは、前記繊維スライバ（２）を横方向に案内するための複数のガイド要素（９）を備え、前記ガイド要素（９）の間隔（Ａ）は調整可能であることを特徴とするスライバガイド（１）。【選択図】図３
2017512919.tif 000002
【特許請求の範囲】
【請求項１】
練条機（４）の入口部（３）において複数の繊維スライバ（２）を案内するためのスライバガイド（１）であって、
第１グループの繊維スライバ（２）を案内するための第１ガイド部（５）と、
第２グループの繊維スライバ（２）を案内するための第２ガイド部（６）とを有し、
前記スライバガイド（１）の側面視において、前記第１ガイド部（５）と前記第２ガイド部（６）は互いに離間して配置されており、
前記スライバガイド（１）はさらに、前記スライバガイド（１）の側面視において前記第１ガイド部（５）および前記第２ガイド部（６）から離間して配置された第３ガイド部（７）を有し、
前記第１〜第３ガイド部（５、６、７）の少なくとも１つは、前記繊維スライバ（２）を横方向に案内するための複数のガイド要素（９）を備え、
前記ガイド要素（９）の間隔（Ａ）は調整可能であることを特徴とするスライバガイド（１）。
【請求項２】
前記スライバガイド（１）の側面視において、前記第１ガイド部（５）、前記第２ガイド部（６）および前記第３ガイド部（７）から離間して配置された第４ガイド部（８）をさらに有し、
前記第４ガイド部（８）は、前記繊維スライバ（２）を横方向に案内するためのガイド要素（９）を備え、
前記ガイド要素（９）の間隔（Ａ）は調整可能であることを特徴とする請求項１に記載のスライバガイド（１）。
【請求項３】
前記第１〜第４ガイド部（５、６、７、８）の少なくとも２つは、互いに平行であることを特徴とする請求項１または２に記載のスライバガイド（１）。
【請求項４】
前記第１〜第４ガイド部（５、６、７、８）の少なくとも１つは、前記スライバガイド（１）の側壁に取り付けられたガイド棒（１０）の表面部により形成されることを特徴とする請求項１〜３のいずれかに記載のスライバガイド（１）。
【請求項５】
少なくとも１つの前記ガイド要素（９）は、前記ガイド棒（１０）にポジティブロック接続され、前記ガイド棒（１０）の長手方向に変位可能であることを特徴とする請求項１〜４のいずれかに記載のスライバガイド（１）。
【請求項６】
少なくとも１つの前記ガイド要素（９）は、前記ガイド棒（１０）への固定を補助するための固定装置（１１）を備えることを特徴とする請求項４または５に記載のスライバガイド（１）。
【請求項７】
少なくとも１つの前記ガイド要素（９）は、前記ガイド棒（１０）を挿通可能な偏心配置された貫通孔（１２）を備える偏心ディスク（１３）により形成されることを特徴とする請求項４〜６のいずれかに記載のスライバガイド（１）。
【請求項８】
少なくとも１つの前記ガイド要素（９）は、旋回軸（１４）を中心に旋回可能であることを特徴とする請求項１〜７のいずれかに記載のスライバガイド（１）。
【請求項９】
前記第１ガイド部（５）、前記第２ガイド部（６）、前記第３ガイド部（７）および／または前記第４ガイド部（８）は、複数の繊維スライバ（２）を横方向に互いに離間して案内できるようにするための１つまたは複数の中間ガイド（１５）を備えることを特徴とする請求項１〜８のいずれかに記載のスライバガイド（１）。
【請求項１０】
少なくとも１つの前記中間ガイド（１５）は、前記第１〜第４ガイド部（５、６、７、８）のガイド棒（１０）の長手軸方向に変位可能であることを特徴とする請求項１〜９のいずれかに記載のスライバガイド（１）。
【請求項１１】
ドラフトされる繊維スライバ（２）のための少なくとも１つの入口部（３）と、複数のドラフトローラを備える少なくとも１つのドラフトユニット（１８）とを有する練条機（４）であって、
少なくとも１つの前記入口部（３）には、第１グループの前記繊維スライバ（２）を案内するための第１ガイド部（５）と、第２グループの前記繊維スライバ（２）を案内するための第２ガイド部（６）が配置され、
前記練条機（４）の側面視において、前記第１ガイド部（５）と前記第２ガイド部（６）は互いに離間して配置されており、
前記入口部（３）には、さらに第３ガイド部（７）が、前記練条機（４）の側面視において前記第１ガイド部（５）および前記第２ガイド部（６）から離間して配置され、
前記第１〜第３ガイド部（５、６、７）の少なくとも１つは、前記繊維スライバ（２）を横方向に案内するための複数のガイド要素（９）を備え、
前記ガイド要素（９）の間隔（Ａ）は調整可能であることを特徴とする練条機（４）。
【請求項１２】
前記入口部（３）には、第４ガイド部（８）が、前記練条機（４）の側面視において前記第１ガイド部（５）、前記第２ガイド部（６）および前記第３ガイド部（７）から離間して配置され、
前記第４ガイド部（８）は、前記繊維スライバ（２）を横方向に案内するためのガイド要素（９）を備え、
前記ガイド要素（９）の間隔（Ａ）は調整可能であることを特徴とする請求項１１に記載の練条機（４）。
【請求項１３】
前記第１〜第４ガイド部（５、６、７、８）の少なくとも１つは、請求項１〜１０のいずれかに記載のスライバガイド（１）により形成されることを特徴とする請求項１１または１２に記載の練条機（４）。
【請求項１４】
前記第１ガイド部（５）、前記第２ガイド部（６）、前記第３ガイド部（７）および／または前記第４ガイド部（８）は、前記繊維スライバ（２）の搬送方向（Ｔ）に対して水平および／または垂直に配列されることを特徴とする請求項１１〜１３のいずれかに記載の練条機（４）。
【発明の詳細な説明】
【技術分野】
【０００１】
本発明は、練条機の入口部において複数の繊維スライバを案内するためのスライバガイドに関する。本発明に係るスライバガイドは、第１グループの繊維スライバを案内するための第１ガイド部と、第２グループの繊維スライバを案内するための第２ガイド部とを有し、スライバガイドの側面視において、第１ガイド部と第２ガイド部は互いに離間して配置されていることを特徴とする。また、本発明は、ドラフトされる繊維スライバのための少なくとも１つの入口部と、複数のドラフトローラを備える少なくとも１つのドラフトユニットとを有する練条機に関する。本発明に係る練条機は、少なくとも１つの入口部に、第１グループの繊維スライバを案内するための第１ガイド部と、第２グループの繊維スライバを案内するための第２ガイド部が配置され、スライバガイドの側面視において、第１ガイド部と第２ガイド部は互いに離間して配置されていることを特徴とする。
【０００２】
練条機は、複数本の繊維スライバを１本の均一な繊維ウェブにするために用いられる。そのため、練条機は、複数の連続的に配置されたローラ対により構成される一連のドラフト要素を備えた１つまたは複数のドラフトユニットを有し、繊維スライバは、各ローラ対の間に挟持されて案内される。ドラフトユニットでは、繊維スライバの進行方向におけるローラ対の周速を高めることで、繊維スライバをドラフトし、均一化することができる。
【背景技術】
【０００３】
従来の練条機では、ドラフトユニットの繊維スライバが進入する入口部分に、垂直方向に延伸する複数の棒を備えるスライバガイドが配置され、各繊維スライバが上記複数の棒の間を通って案内されていた。
【０００４】
上記の練条機では、個々の繊維スライバの品質（太さ、長さ等）にムラがある場合、練条された繊維ウェブの品質（幅長）は不均一となる。
【発明の概要】
【発明が解決しようとする課題】
【０００５】
本発明の課題は、ドラフトされる繊維スライバの品質が異なる場合においても、高い均一性を有する繊維ウェブを生成することが可能なスライバガイドおよび練条機を提供することである。
【課題を解決するための手段】
【０００６】
上記課題は、独立請求項に記載の構成を備えるスライバガイドおよびドラフトユニットにより解決される。
【０００７】
本発明に係るスライバガイドは、第１および第２ガイド部に加えて、スライバガイドの側面視において第１および第２ガイド部から離間して配置された第３ガイド部を有する。上記ガイド部の少なくとも１つには、繊維スライバを横方向に案内するための横方向ガイド要素が設けられる。上記ガイド要素の間隔は調整可能である。第１ガイド部は、第１グループの繊維スライバを案内するために配置され、第２ガイド部は、第２グループの繊維スライバを案内するために配置される。第３ガイド部は、第１および第２ガイド部を通過した繊維スライバをドラフトユニットに案内するために配置される。つまり、本発明に係るスライバガイドは、供給された繊維スライバを２つのグループに分け、所定の２つのガイド部により別々に案内した後に集束し、第３ガイド部によりドラフトユニットに案内する。また、横方向ガイド要素により、各ガイド部を通過する繊維スライバの間隔を調整することができる。
【０００８】
第３ガイド部の２つのガイド要素の間隔は、第１ガイド部および／または第２ガイド部のガイド要素の間隔よりもわずかに大きいか、または小さいことが好ましい。これにより、第１ガイド部および第２ガイド部を通過した繊維スライバが第３ガイド部で重なり合う。したがって、ドラフトユニットには個々の繊維（太さおよび／または組成は異なっていてもよい）が均等に配列した均一な繊維スライバが供給されるため、ドラフトされた繊維集合体、さらには、後工程において繊維集合体から製造された糸を均一化することができる。また、本発明によれば、ガイド要素の間隔を繊維スライバの種類や数に応じて容易に変更することができ、特に、第３ガイド部のガイド要素の間隔をすべての繊維スライバの合計幅よりも小さくなるように調整することで、繊維スライバを確実に重ね合わせることができる。
【０００９】
本発明に係るスライバガイドは、その側面視において第１、第２および第３ガイド部から離間して配置された第４ガイド部を有することが好ましい。また、第４ガイド部は、繊維スライバを横方向に案内するための横方向ガイド要素を備え、かつガイド要素の間隔は調整可能であることが好ましい。第４ガイド部は、第１ガイド部および／または第２ガイド部を挟んで第３ガイド部の反対側に配置される。第４ガイド部は、スライバガイドに供給されたすべての繊維スライバを、第１ガイド部または第２ガイド部に案内するために配置される。各ガイド部は、スライバガイドの側面視において、第１ガイド部と第２ガイド部、第３ガイド部と第４ガイド部を対角とする菱形の角に位置するように配列されることが好ましい。第３および第４ガイド部、さらに好ましくは、第１〜第４ガイド部は、間隔調整が可能な横方向ガイド要素を備える。各ガイド部には、少なくとも１つ、好ましくは２つのガイド要素が、ガイド部に対して移動可能かつ所望の位置で固定可能に配置される。より好ましくは、ガイド要素は、スライバガイドにおける繊維スライバの搬送方向に対して垂直方向に変位可能に取り付けられる。これにより、ガイド部における繊維スライバの通過領域の幅（繊維スライバの搬送方向に対して垂直な方向の長さ）を制限することができる。      
【００１０】
上記ガイド部のうち、少なくとも２つ、好ましくはすべてのガイド部は、互いに平行である（すなわち、各ガイド部は、互いに平行かつ繊維スライバの搬送方向に対して垂直に延伸している）。これにより、繊維スライバを搬送方向に沿って直線的に案内することができる。スライバガイドの平面視において、ガイド部は、繊維スライバの搬送方向に延びる２つの側壁の接続部として形成され、スライバガイドの側壁と各ガイド部またはガイド部を含む要素は、取り外し可能に接続される。また、スライバガイドを練条機に接続できるようにするために、スライバガイドの側壁またはその他の壁部は、ブラケット、ピンなどの要素により構成された１つまたは複数の取付部を備える。
【００１１】
少なくとも１つ、好ましくはすべてのガイド部は、スライバガイドの側壁に取り付けられたガイド棒の表面部により形成される。ガイド棒は、例えば、円形、レンズ形または楕円形の断面形状を有する。また、各ガイド棒は、ねじ接続等によりスライバガイドの側壁に互いに平行かつ取り外し可能に取り付けられる。さらに、スライバガイドの側壁は、ガイド棒の長手方向軸に直交し、かつ繊維スライバの搬送方向に平行であることが好ましい。
【００１２】
少なくとも１つのガイド要素は、ガイド棒に（ポジティブロック）接続され、ガイド棒の長手方向に変位可能であることが好ましい。１つまたは２つの隣り合うガイド要素を変位させることにより、ガイド要素の間隔、すなわち、ガイド部において繊維スライバが通過する領域の幅を調整することができる。ガイド要素およびガイド部には、相互にポジティブロック接続されることを可能にするための溝または凹みをそれぞれ備える。
【００１３】
ガイド要素には、ガイド棒への固定を補助するための固定装置が設けられていることが好ましい。これにより、隣り合うガイド要素との間隔を調整した後、ガイド要素の位置を確実に固定することができる。固定装置は、例えば、ガイド要素のねじ穴に嵌合され、締結時にガイド部を押圧可能なねじやねじ付きピンとして構成される。また、固定装置は、ガイド要素をガイド部の所定位置に摩擦接続により固定するためのクランプ機構として構成されてもよい。
【００１４】
ガイド要素は、ガイド棒を挿通可能な、偏心配置された貫通孔を備える偏心ディスクにより形成されることが好ましい。なお、偏心ディスクは、必ずしも円形である必要はない。偏心ディスクを各ガイド棒に２つ配置し、固定装置が解除された状態でガイド棒の長手方向に変位可能に構成することで、ガイド要素の間隔を容易かつ迅速に変更および調整することができる。また、偏心ディスクを、貫通孔を通る回転軸の周りで回転可能に構成することで、偏心ディスクの主要部が延出する方向を調整することができるため、繊維スライバに対してガイド要素を最適化することができる。
【００１５】
また、ガイド要素は、旋回軸を中心に旋回可能であることが好ましい。例えば、ガイド要素は、側縁が円形に形成された板またはパドル形状であり、旋回軸を通じてガイド部に偏心接続される。ガイド要素を旋回することで、ガイド要素の間隔、すなわち、繊維スライバの通過幅を調整することができる。旋回軸は、繊維スライバの搬送方向に垂直に延出していることが好ましい。本実施形態においても、旋回後のガイド要素を固定するための固定装置を備えることが好ましい。
【００１６】
ガイド部は、複数の繊維スライバを横方向に互いに離間して案内できるようにするための１つまたは複数の中間ガイドを備えていることが好ましい。中間ガイドは、ガイド棒の長手軸方向に相互に離間して配置される。これにより、繊維スライバは、中間ガイド同士の間、または中間ガイドとガイド要素の間で案内される。中間ガイドは、例えば第１ガイド部および第２ガイド部に配置される。この場合、両ガイド部の中間ガイドは、ガイド部の長手軸方向に互い違いに配置されることが好ましい。これにより、第１および第２ガイド部を通過した繊維スライバが第３ガイド部で部分的に重なり合うように繊維スライバを案内することができる。
【００１７】
中間ガイドは、ガイド部の長手軸方向に変位可能であることが好ましい。これにより、中間ガイドの間隔を繊維スライバに合わせて調整することができる。また、中間ガイドは、その位置を固定するための固定装置を備える。すなわち、中間ガイドは、ガイド棒を挿通するための貫通孔を備え、ガイド部に対して固定可能な環状ディスクにより形成される。
【００１８】
さらに、本発明によれば、上述のスライバガイドを備えた練条機が提供される。すなわち、本発明に係る練条機は、第１および第２ガイド部に加え、第３ガイド部を有する。第３ガイド部は、練条機の側面視において、第１および第２ガイド部から離間して配置される。上記ガイド部の少なくとも１つには、繊維スライバを横方向に案内するための横方向ガイド要素が設けられ、上記ガイド要素の間隔は調整可能である。第１および第２ガイド部は、練条機の側面視において、水平方向および垂直方向に離間して配置されることが好ましい。また、第３ガイド部がドラフトユニットの入口ローラに隣接して配置されることで、ガイド部からドラフトユニットへ、繊維スライバを直接受け渡すことができる。
【００１９】
本発明に係る練条機は、その側面視において第１、第２および第３ガイド部から離間して配置された第４ガイド部を有することが好ましい。また、第４ガイド部にも、繊維スライバを横方向に案内するための横方向ガイド要素が設けられ、上記ガイド要素の間隔は調整可能であることが好ましい。第４ガイド部は、繊維スライバの搬送方向において、第１〜第３ガイド部よりも上流に配置され、ガイド部に供給された繊維スライバを下流のガイド部に案内するために配置される。また、練条機の側面視において、第１ガイド部と第２ガイド部は、上下に（好ましくは横方向にわずかにずらして）配置される。これにより、第１グループの繊維スライバを第１ガイド部の上面で案内し、第２グループの繊維スライバを第２ガイド部の下面で案内することが可能となる。
【００２０】
本発明に係る練条機が、２つのドラフトユニットを有する、いわゆるダブルヘッド練条機である場合、それぞれのドラフトユニットに上述のガイド部を備えるスライバガイドを配置することが好ましい。
【００２１】
ガイド部は、前述または後述のスライバガイドにより形成されることが好ましい。また、スライバガイドは、練条機の保持部に取り外し可能に接続されることが好ましい。なお、本発明に係るスライバガイドの構成は、本明細書の記載および図面に示されたスライバガイドの構成の他、これらを矛盾が生じない範囲で組み合わせた構成も含むものである。
【００２２】
第１ガイド部、第２ガイド部、第３ガイド部および／または第４ガイド部は、繊維スライバの搬送方向に対して水平および／または垂直に配列されることが好ましい。繊維スライバは、各ガイド部の上または下で案内され、各ガイド部を通過する。
【図面の簡単な説明】
【００２３】
本発明のさらなる利点は、以下の実施例において説明する。
【図１】図１は、本発明に係る練条機の側面図である。
【図２】図２は、本発明に係るスライバガイドの斜視図である。
【図３】図３は、本発明に係るスライバガイドの平面図である。
【図４】図４は、本発明に係るスライバガイドの、ドラフトユニットの入口部における部分側面図である。
【図５】図５は、本発明に係るスライバガイドの、他の実施形態を示す部分側面図である。
【図６】図６は、本発明に係るスライバガイドのガイド要素を示す。
【図７】図７は、本発明に係るスライバガイドの、他の実施形態を示す平面図平面図である。
【発明を実施するための形態】
【００２４】
図１は、複数の繊維スライバ２をドラフト（均一化）するための練条機４の斜視図の側面図を示す。練条機４の動作中、１つまたは複数のスライバケンス２１から繊維スライバ２が引き出され、偏向装置２０およびスライバガイド１を経由して練条機４のドラフトユニット１８に搬送される。
【００２５】
ドラフトユニット１８は、通常１つまたは複数の下部ローラ１７および上部ローラ２５からなるローラ装置を３つ以上備える。ドラフトユニット１８では、繊維スライバ２を挟むように接触した下部ローラ１７と上部ローラ２５の搬送方向Ｔの周速を高めることで、複数の繊維スライバ２からなる繊維集合体がドラフトされる。図示された実施形態においては、ドラフトユニット１８は、入口ローラ、中間ローラおよび出口ローラが搬送方向に順次配置された下部ローラ１７を備える。入口ローラ、中間ローラおよび出口ローラは、それぞれ上部ローラ２５を構成する１つまたは複数のローラと対向して接触しており、繊維集合体は、これらの間で挟持されて案内される。下部ローラ１７と上部ローラ２５の搬送方向Ｔの周速が増加することで、繊維集合体がドラフトされ、均一化される。
【００２６】
ドラフトユニット１８でドラフトされた繊維材料（繊維ウェブ１９）は、ウェブファンネルなどで構成された集束装置（不図示）により処理される。
【００２７】
続いて、繊維ウェブ１９は引出装置２３に搬送される。引出装置２３は、例えば、繊維ウェブ１９に両側から接触する２つの引出ディスク２２により構成された、複数の回転可能な、または部分的に駆動される引出要素を備える。引出装置２３の引出速度を早めることで、より強く繊維ウェブ１９をドラフトすることができる。最後に、繊維ウェブ１９は回転プレート１６に搬送され、スライバケンス２１にループ状に巻き取られる。
【００２８】
前述のように、繊維スライバ２は、ドラフトユニット１８の入口部３に配置されたスライバガイド１により案内される。そのために、スライバガイド１は、複数の棒が互いに平行かつ垂直に配置され、繊維スライバ２がこれらの間を通って案内されるように構成される。
【００２９】
個々の繊維スライバ２の品質（太さ、組成、長さ等）が異なる場合、ドラフトされた繊維ウェブ１９の品質も不均一となる。
【００３０】
上記の問題は、図２、図３および図７（さらには図４〜図６）に例示された本発明のスライバガイド１により解決される。
【００３１】
本発明に係るスライバガイド１は、ドラフトユニット１８に搬送される繊維スライバ２をそれぞれ異なる態様で案内するための、少なくとも３つ、好ましくは４つのガイド部５、６、７、８を有する。スライバガイド１は、図２においてスライバガイド１の左下に配置されるドラフトユニット１８（不図示）と、取付部２４を通じて接続される。繊維スライバ２は、スライバガイド１からドラフトユニット１８または入口ローラ対（図１中、最も左側に配置されたローラ対）の間に直接受け渡される。
【００３２】
図３（スライバガイド１の平面図）および図４（繊維スライバ２の経路を示すスライバガイド１の概略側面図）に示すように、スライバガイド１に供給された繊維スライバ２は、まず第４ガイド部８によって案内され、その後２つのグループに分割される。ただし、第４ガイド部８は必須の構成ではなく、図1に示す偏向装置２０を通過した繊維スライバ２を直接第１および第２ガイド部５、６で分割してもよい。
【００３３】
図４に示すように、繊維スライバ２の第１グループは第１ガイド部５の上面に当接して案内され、第２グループは第２ガイド部６の下面に当接して第１グループと垂直方向に案内される。
【００３４】
繊維スライバ２は、第１および第２ガイド部５、６を通過した後、第３ガイド部７に到達する（図３参照）。繊維スライバ２は、第３ガイド部７において少なくとも部分的に重ね合わされる。これにより、各繊維スライバ２の品質の差異がドラフト後の繊維ウェブ１９の品質に与える影響を低減することができる。
【００３５】
上述の繊維スライバ２の経路は一例に過ぎず、例えば図５に示すように、繊維スライバ２の第１グループと第２グループが、それぞれ第３ガイド部７の上面と下面に当接して案内されてもよい。
【００３６】
また、本発明では繊維スライバ２の経路を２つのガイド部（第１および第２ガイド部５、６）により分割しているが、これに限定されるものではない。例えば、ガイド部を追加して、繊維スライバ２を３つまたは４つのグループに分割してもよい。
【００３７】
第１〜第４ガイド部５、６、７、８の少なくとも１つには、繊維スライバ２を横方向に案内するための２つの横方向ガイド要素９が設けられる。２つのガイド要素９の間隔Ａは、好ましくはガイド要素９の一方または両方を変位させることにより、調整可能である。図３に示すように、ガイド要素９は、繊維スライバ２を横方向に案内し、ガイド部上の繊維スライバ２の通過領域の幅を規定することができる。ドラフトされる繊維スライバ２の種類、数および太さに応じ、ガイド要素９を変位させて上記幅を調整することで、第３ガイド部７で繊維スライバ２を少なくとも部分的に重ね合わせることができる。
【００３８】
図２（簡略化のため、ガイド要素９は不図示）に示すように、第１〜第４ガイド部５、６、７、８は、例えばスライバガイド１の側壁２６に取り付けられたガイド棒１０により構成される。ガイド棒１０は、例えば円形、楕円形または涙滴形の断面形状を有し、固定装置１１（ねじ等）によりスライバガイド１の側壁２６に取り外し可能に取り付けられる。
【００３９】
第１〜第４ガイド部５、６、７、８、特に第１および第２ガイド部５、６は、中間ガイド１５を備えることが好ましい。中間ガイド１５は、例えばガイド棒１０に（好ましくは取り外し可能に）取り付けられた環状ディスクにより形成される。ガイド部は、中間ガイド１５を備えることで、個々の繊維スライバ２を横方向に離間して案内することができる（図７参照）。また、第１〜第４ガイド部５、６、７、８の中間ガイド１５は、スライバガイド１の幅方向（繊維スライバ２の搬送方向に対し垂直方向）に互い違いに配置されることが好ましい。これにより、繊維スライバ２を第３ガイド部７において少なくとも部分的に重なり合うように案内することができる。
【００４０】
ガイド要素９は、例えば図３および図７に示すように、パドル形状に形成され、旋回軸１４によりガイド棒１０に取り付けられる。これにより、ガイド要素９を旋回することで、ガイド要素９の間隔Ａを調整することが可能となる。
【００４１】
また、ガイド要素９は、図５および図６に示すように、ガイド棒１０を挿通可能な貫通孔１２を備える偏心ディスク１３により形成されてもよい。偏心ディスク１３は、貫通孔１２を通じてガイド棒１０に取り付けられ、固定装置１１（ねじ、ねじ付きボルト等）により所望の位置に固定される。また、偏心ディスク１３をガイド棒１０の周りで回転させることで、繊維スライバ２の横方向における案内の態様を調整することができる（図５参照。なお、図５においては、繊維スライバ２を可視化するため、紙面手前側に配置された偏心ディスク１３を省略している。）。
【００４２】
本発明は、図示および説明されている実施形態に限定されない。説明された特徴が、明細書や特許請求の範囲において異なる部分、または異なる実施形態において図示および説明されていたとしても、これらの組み合わせのほか、特許請求の範囲の枠組みの中における種々の変形が可能である。例えば、上述の実施形態では、すべてのガイド部をスライバガイドと一体に構成したが、これに限定されるものではなく、一部のガイド部を練条機に配置してもよい。
【符号の説明】
【００４３】
１：スライバガイド
２：繊維スライバ
３：入口部          
４：練条機
５：第１ガイド部                    
６：第２ガイド部
７：第３ガイド部
８：第４ガイド部
９：ガイド要素
１０：ガイド棒
１１：固定装置          
１２：貫通孔                    
１３：偏心ディスク
１４：旋回軸
１５：中間ガイド
１６：回転プレート
１７：下部ローラ
１８：ドラフトユニット
１９：繊維ウェブ
２０：偏向装置
２１：スライバケンス
２２：引出ディスク
２３：引出装置
２４：取付部
２５：上部ローラ
２６：側壁
Ａ：間隔
Ｔ：搬送方向
【図１】
2017512919.tif 000003
【図２】
2017512919.tif 000004
【図３】
2017512919.tif 000005
【図４】
2017512919.tif 000006
【図５】
2017512919.tif 000007
【図６】
2017512919.tif 000008
【図７】
2017512919.tif 000009
【国際調査報告】
2017512919.tif 000010
2017512919.tif 000011
2017512919.tif 000012
2017512919.tif 000013
2017512919.tif 000014
2017512919.tif 000015